(57)【要約】【課題】清掃領域を少なくするとともに、フード本体内の前方側に清掃領域を制限して清掃時の姿勢を比較的に楽に保つことができるレンジフードを提供すること。【解決手段】下向開放型のフード本体１１の内側に仕切り部材１２を配置して前方空間Ｓ１と後方空間Ｓ２とに仕切られており、吸い込み口１５Ａが前方空間Ｓ１に向く姿勢でファン１５が後方空間Ｓ２内に配置されている。前方空間Ｓ１内の中央部には、左右両側に吸気口３５を備えた吸気箱１３が設けられており、当該吸気箱１３は、仕切り部材１２に対して前後方向に延び、その後端が吸い込み口１５Ａの回りに位置するように設けられている。【選択図】図１
2013096687.tif 000002
【特許請求の範囲】
【請求項１】
下向きに開放するフード本体と、このフード本体の内側を前方空間と後方空間とに仕切る仕切り部材と、後方空間内に配置されたファンとを含むレンジフードであって、
前記ファンの吸い込み口は前方空間側に位置し、前記吸い込み口に対応する前方空間内に、前記仕切り部材の前後に延びる吸気箱が設けられ、当該吸気箱の後端は前記吸い込み口の回りに位置するとともに、吸気箱の面内に吸気口が設けられていることを特徴とするレンジフード。
【請求項２】
前記吸気箱は前方空間の左右方向中央に配置され、前記吸気口は吸気箱の左右両側面にそれぞれ配置されていることを特徴とする請求項１記載のレンジフード。
【発明の詳細な説明】
【技術分野】
【０００１】
本発明はレンジフードに係り、更に詳しくは、フード本体の前方空間内に吸気箱を配置するとともに、当該吸気箱とファンの吸い込み口とを連通させることで、清掃エリアを少なくすると同時に、清掃作業の負担を軽減することのできるレンジフードに関する。
【背景技術】
【０００２】
システムキッチンの一般的な設備としては、内部に収容空間を備えたキッチンキャビネットと、当該キッチンキャビネットの上方に位置するとともに、加熱調理機器が配置されるキッチンカウンターと、前記加熱調理機器の上方に相対配置されるレンジフードとが含まれる。
公知のレンジフードとしては、例えば、特許文献１に開示されるように、レンジフードを形成するフード本体の後部中央にファン（排気送風機）を設け、その左右両側に吸い込み口を配置して当該吸込口より吸い込んだ空気を排気口を通じて外部に排気する構成が知られている。
【先行技術文献】
【特許文献】
【０００３】
【特許文献１】特開平６−１８５７７６号公報
【発明の概要】
【発明が解決しようとする課題】
【０００４】
しかしながら、特許文献１に記載されたレンジフードにあっては、ファンが配置されるフード本体の後方空間全域が汚損した空気に晒される構成となっている。従って、定期的に必要な清掃に際し、ファンの吸い込み口だけでなく、その周辺も清掃することが要求され、作業領域が広範囲に及んでしまう、という不都合がある。
しかも、レンジフードは、キッチンカウンターの上方に位置しているため、レンジフードの真下に立って清掃を行うことはできない。そのため、キッチンカウンターの前に立ち、上半身を前屈させた姿勢で清掃しなければならないのが通常となるため、清掃領域がフード本体の後方空間全域であると、長時間に亘る清掃作業が不可避的に要求される、という不都合を招来する。
【０００５】
［発明の目的］
本発明は、このような不都合に着目して案出されたものであり、その目的は、清掃領域を小さくして限定的にするとともに、清掃が必要となる領域がフード本体内の前方に位置するようにして清掃時の姿勢を比較的に楽に保つことができるレンジフードを提供することにある。
【課題を解決するための手段】
【０００６】
前記目的を達成するため、本発明は、特許請求の範囲記載の構成を採用したものであり、具体的には、本発明は、下向きに開放するフード本体と、このフード本体の内側を前方空間と後方空間とに仕切る仕切り部材と、後方空間内に配置されたファンとを含むレンジフードであって、
前記ファンの吸い込み口は前方空間側に位置し、前記吸い込み口に対応する前方空間内に、前記仕切り部材の前後に延びる吸気箱が設けられ、当該吸気箱の後端は前記吸い込み口の回りに位置するとともに、吸気箱の面内に吸気口が設けられる、という構成を採っている。
【０００７】
本発明において、前記吸気箱は前方空間の左右方向中央に配置され、前記吸気口は吸気箱の左右両側面にそれぞれ配置される、という構成を採ることができる。
【発明の効果】
【０００８】
本発明によれば、吸気口が設けられた吸気箱の後端が仕切り部材の前後に延びる状態でファンの吸い込み口に連なる構造としたから、前方空間内の空気は、吸気箱を通って吸入されることとなる。従って、吸気箱内に吸い込まれた空気は、直ちにファンの吸い込み口に吸い込まれるようになり、油、煙成分を含む空気で汚損される領域を最小限とすることができ、清掃負担の大幅な軽減を図ることができる。また、吸気口は、フード本体の前方空間内に位置する構造であることから、レンジフードの下方にキッチンキャビネットが存在していても、楽な姿勢で吸気口周辺を清掃することが可能となる。
また、吸気箱を前方空間の左右方向中央に配置して吸気口を吸気箱の左右両側面にそれぞれ配置した構成では、フード本体の左右両側の内面と吸気箱の左右両側面との間を作業空間として利用でき、この点からも清掃作業の負担軽減を図ることができる。
【図面の簡単な説明】
【０００９】
【図１】本発明に係るレンジフードがシステムキッチンに適用された実施形態を示す概略側面図。
【図２】前記レンジフードを下方から見た概略斜視図。
【図３】前記レンジフードの概略平面図。
【図４】前記レンジフードの概略正面図。
【発明を実施するための形態】
【００１０】
以下、本発明の実施形態について図面を参照しながら説明する。なお、本明細書における方向を示す用語は、壁面に固定されたレンジフードを正面に見た場合について用いられる。従って、「左右」は、図１の紙面直交方向に沿って位置し、「上下」は、同図中上下方向に沿って位置することとなる。また、「前後」は図１中左右方向に沿って位置する。
【００１１】
図１において、キッチンフロアＦ上で壁面Ｗに接する位置にキッチンキャビネットＣが設置され、このキッチンキャビネットＣの上部カウンター面内に設けられた調理機器Ａの上方相対位置にレンジフード１０が配置されている。レンジフード１０は、壁面Ｗに固定されており、当該レンジフード１０の上端に図示しない排気ダクトを接続することで屋外への排気が行えるようになっている。
【００１２】
前記レンジフード１０は、図１及び図２に示されるように、下向きに開放するフード本体１１と、このフード本体１１の内側を前方空間Ｓ１と後方空間Ｓ２とに仕切る仕切り部材１２と、前方空間Ｓ１内に配置された吸気箱１３と、後方空間Ｓ２内に配置されたファン１５及び電装部品１６とを備えて構成されている。
【００１３】
前記フード本体１１は、前方に向かうに従って下向きに湾曲する面形状を備えた上面２１と、この上面２１の左右両側に位置する外側面２３と、上面２１及び外側面２３の後端に位置する後面２５とを備えた形状に設けられている。なお、前記上面２１には図示しない開口が設けられており、当該開口を通じて排気ダクトがファン１５に接続される。
【００１４】
前記仕切り部材１２は、左右の外側面２３間に位置するとともに、前記上面２１における平面領域の前部内面から、後方下部に向かう湾曲面部１２Ａと、この湾曲面部１２Ａの下端から外側面２３の後方下端部まで延びる延長面部１２Ｂとからなる。湾曲面部１２Ａの中央部には開口部２７（図３、４参照）が設けられており、当該開口部２７を通じて吸気箱１３の後部が後方空間Ｓ２内に位置するように配置されている。
【００１５】
前記吸気箱１３は、左右一対の側面部３０と、これら側面部３０の下端側に位置する底面部３１とを含む。側面部３０は、前記上面２１の内面に倣う外縁形状に設けられている。また、底面部３１は、前端よりも後端が下方位置となるように傾斜して側面部３０の後端下部に連なる形状に設けられ、これにより、吸気箱１３の後端を開口部３３として当該開口部３３がファン１５の吸い込み口１５Ａの回りに位置するようになっている。また、各側面部３０の前方寄りの位置には、着脱自在なフィルター等からなる吸気口３５がそれぞれ形成されており、当該吸気口３５を通じて前方空間Ｓ１内の空気が吸気箱１３内に吸い込まれるようになっている。なお、本実施形態における吸気箱１３は、特に限定されるものではないが、その左右幅が２００ｍｍ程度に設定されており、吸気口３５のフィルターを取り外して内部を清掃する時に、腕を差し入れるスペースが十分に確保できるようになっている。また、吸気箱１３は、前記側面部３０の外縁側を、図示しないねじ等を介して前記上面２１と吸い込み口１５回りに連結することで形成される。
【００１６】
次に、本実施形態におけるレンジフード１０の作用について説明する。
【００１７】
図示しない電源をＯＮ操作することにより、ファン１５が回転し、前方空間Ｓ１下の空気が吸気口３５から吸入される。この際、フード本体１１の内面側が湾曲面形状に設けられていることで渦流を伴いながら吸気口３５に吸気される。
吸気口３５を通じて吸気箱１３内に吸い込まれた空気は、ファン１５の吸い込み口１５Ａに吸い込まれ、ファン１５に吸い込まれた空気は図示しない排気ダクトを通じて外部に排気されることとなる。
レンジフード１０を清掃する場合には、吸気口３５を構成するフィルターを取り外すことで内部にアクセス可能となり、ファン１５の吸い込み口１５Ａに至るまでの内部領域を清掃することができる。この際、吸気箱１３は、その後端が前記吸い込み口１５Ａの回りに位置するように設けられているため、吸気箱１３内と、前方空間Ｓ１の内面側を清掃すれば足りる。
【００１８】
従って、このような実施形態によれば、仕切り部材１２によってフード本体１１を前方領域Ｓ１と後方領域Ｓ２とに仕切り、前方空間Ｓ１内に吸気箱１３を配置し、その後端がファン１５の吸い込み口１５Ａの回りに位置するように設けたから、後方空間Ｓ２内を清掃する必要は殆どなく、実質的に前方空間Ｓ１の領域での清掃で足りることになる。そのため、レンジフード１０の下方にキッチンキャビネットＣが存在していても、当該キャビネットＣの直前に立ってレンジフード１０を清掃する際の前傾姿勢を楽に保つことができ、清掃時の負担を軽減することができる。
また、ファン１５は、その吸い込み口１５Ａが吸気箱１３に向いた姿勢で後方空間Ｓ２内に位置し、吸気箱１３は、吸気口３５のフィルターを取り外して内部にアクセスできる幅を備えているため、汚損の程度が高い吸い込み口１５Ａの清掃容易性を確保することができる。
【００１９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２０】
例えば、前記実施形態では、吸気箱１３が前方空間Ｓ１の左右方向中央部に配置された場合を図示説明したが、前方空間Ｓ１の左右方向何れか一方にシフトした構成することもできる。この場合、ファン１５は、吸気箱１３の位置に合わせて後方空間Ｓ２内でシフトさせれば足りる。
【符号の説明】
【００２１】
１０…レンジフード、１１…フード本体、１２…仕切り部材、１５…ファン、１５Ａ…吸い込み口、１３…吸気箱、３５…吸気口、Ｓ１…前方空間、Ｓ２…後方空間
【図１】
2013096687.tif 000003
【図２】
2013096687.tif 000004
【図３】
2013096687.tif 000005
【図４】
2013096687.tif 000006